(57)【要約】【課題】  ＬＣＤモジュールにデジタイザセンサボードを統合し、厚さと重さを低減するディスプレイ装置を提供する。【解決手段】  ディスプレイパネル、および前記ディスプレイパネルに統合され、前記ディスプレイパネルの表面上の位置ポインタの位置を感知するデジタイザセンサボードを含むディスプレイ装置。【選択図】      図３Ａ
2006189859.tif 000002
【特許請求の範囲】
【請求項１】
ディスプレイパネル、および
前記ディスプレイパネルに統合され、前記ディスプレイパネルの表面上の位置ポインタの位置を感知するデジタイザセンサボードを含むディスプレイ装置。
【請求項２】
前記ディスプレイパネルは、上基板と下基板を含み、前記デジタイザセンサボードは、前記上基板、または前記下基板に統合される請求項１に記載のディスプレイ装置。
【請求項３】
カラーフィルターを有する上基板とＴＦＴアレイを有する下基板を含み、前記デジタイザセンサボードは、前記上基板、または前記下基板に統合される請求項１に記載のディスプレイ装置。
【請求項４】
前記デジタイザセンサボードは、前記カラーフィルターと前記上基板の間に統合される請求項３に記載のディスプレイ装置。
【請求項５】
前記デジタイザセンサボードは、前記ＴＦＴアレイと前記下基板の間に統合される請求項３に記載のディスプレイ装置。
【請求項６】
前記ディスプレイパネルは、前記カラーフィルターのブラックマトリクスによって発生された非透光領域を含み、前記デジタイザセンサボードのコイルと導線は、前記非透光領域に形成される請求項３に記載のディスプレイ装置。
【請求項７】
請求項１に記載のディスプレイ装置、および
前記ディスプレイモジュールと前記デジタイザモジュールに接続され、インターフェースを介してホストシステムからの画像信号に基づいて、前記ディスプレイモジュールを駆動し、スキャンタイミング信号をデジタイザセンサボードに発生する制御ユニットを含むディスプレイシステム。
【請求項８】
前記デジタイザモジュールは、前記スキャンタイミング信号に応じてスキャン動作を行い、前記表面の位置ポインタ、または指接触の位置を検出する請求項７に記載のディスプレイシステム。
【請求項９】
前記画像信号は、画像データとクロック信号を含み、前記制御ユニットは、前記クロック信号に基づいて前記スキャンタイミング信号を発生する請求項７に記載のディスプレイシステム。
【請求項１０】
前記制御ユニットは、チップオンガラス（ＳＯＧ）プロセスによって直接、ディスプレイモジュールに設置される請求項７に記載のディスプレイシステム。
【請求項１１】
前記制御ユニットは、前記ディスプレイモジュールに接続されたフレキシブルプリント回路板（ＦＰＣ）に設置される請求項７に記載のディスプレイシステム。
【請求項１２】
前記ディスプレイモジュールは、ＬＣＤモジュール、有機発光素子ディスプレイ（ＯＬＥＤ）モジュール、または電界放出ディスプレイ（ＦＥＤ）モジュールである請求項７に記載のディスプレイシステム。
【請求項１３】
前記デジタイザモジュールは、容量センサデジタイザモジュール、抵抗センサデジタイザモジュール、赤外線センサデジタイザモジュール、音波センサデジタイザモジュール、圧電力センサデジタイザモジュール、静電センサデジタイザモジュール、または超音波センサデジタイザモジュールである請求項７に記載のディスプレイシステム。
【請求項１４】
前記ディスプレイパネルに積層され、外部雑音を排除する遮蔽膜を更に含む請求項７に記載のディスプレイシステム。
【請求項１５】
前記ディスプレイパネルに接続されたバックライト装置を更に含む請求項１４に記載のディスプレイシステム。
【請求項１６】
前記ディスプレイパネルに積層され、光を反射する反射板を更に含む請求項１４に記載のディスプレイシステム。
【請求項１７】
請求項７に記載のディスプレイシステム、
前記ディスプレイシステムに動作可能に接続され、前記ディスプレイシステムに電力を供給して画像を表示し、表面上の位置ポインタ、または指接触の位置を感知するＤＣ／ＤＣコンバータを含む請求項７に記載のディスプレイシステム。
【請求項１８】
前記電子装置は、ディスプレイモニタ、ノート型パソコン、タブレットコンピュータ、携帯電話、またはＰＤＡである請求項１７に記載の電子装置。
【請求項１９】
ディスプレイパネルの上基板となるガラス基板上にデジタイザセンサボードを形成するステップ、
前記ディスプレイパネルの下基板となるＴＦＴアレイを形成するステップ、
前記ディスプレイパネルの前記上基板と前記下基板を組み立てるステップを含むディスプレイパネルの製造方法。
【請求項２０】
前記上基板の前記デジタイザセンサボードにカラーフィルターを形成するステップを更に含む請求項１９に記載の製造方法。
【請求項２１】
前記上基板と前記下基板の間に液晶材料を注入するステップを更に含む請求項２０に記載の製造方法。
【請求項２２】
前記ディスプレイパネルは、ＬＣＤパネルである請求項２１に記載の製造方法。
【請求項２３】
前記ディスプレイパネルは、有機発光素子ディスプレイ（ＯＬＥＤ）パネル、または電界放出ディスプレイ（ＦＥＤ）パネルである請求項１９に記載の製造方法。
【請求項２４】
前記デジタイザセンサ膜は、容量センサデジタイザ膜、抵抗センサデジタイザ膜、赤外線センサデジタイザ膜、音波センサデジタイザ膜、圧電力センサデジタイザ膜、静電センサデジタイザ膜、または超音波センサデジタイザ膜である請求項１９に記載の製造方法。
【請求項２５】
ガラス基板上にデジタイザセンサ膜を形成するステップ、
前記ガラス基板上のＴＦＴアレイと前記デジタイザセンサ膜がディスプレイパネルの下基板となる前記デジタイザセンサ膜に前記ＴＦＴアレイを形成するステップ、
前記ディスプレイパネルの上基板を形成するステップ、
前記ディスプレイパネルの前記上基板と前記下基板を組み立てるステップを含むディスプレイパネルの製造方法。
【請求項２６】
前記上基板にカラーフィルターを形成するステップを更に含む請求項２５に記載の製造方法。
【請求項２７】
前記上基板と前記下基板の間に液晶材料を注入するステップを更に含む請求項２６に記載の製造方法。
【請求項２８】
前記ディスプレイパネルは、ＬＣＤパネルである請求項２７に記載の製造方法。
【請求項２９】
前記ディスプレイパネルは、有機発光素子ディスプレイ（ＯＬＥＤ）パネル、または電界放出ディスプレイ（ＦＥＤ）パネルである請求項２５に記載の製造方法。
【請求項３０】
前記デジタイザセンサ膜は、容量センサデジタイザ膜、抵抗センサデジタイザ膜、赤外線センサデジタイザ膜、音波センサデジタイザ膜、圧電力センサデジタイザ膜、静電センサデジタイザ膜、または超音波センサデジタイザ膜である請求項２５に記載の製造方法。
【発明の詳細な説明】
【技術分野】
【０００１】
本発明は、ディスプレイ装置に関し、特に、デジタイザを有するディスプレイ装置に関するものである。
【背景技術】
【０００２】
多種のタッチセンサ型コンピュータの入力装置が現在、コンピュータのディスプレイに、またはコンピュータのディスプレイと併せて用いられている。これらの装置は、位置ポインタの位置、またはセンサ表面に指接触をした位置を検出する。位置座標は、コンピュータとの相互作用をするために発生され、例えば、ディスプレイのアイコン、メニューアイテム、画像編集、または手書きの文字と図形の入力フィードバックを選ぶ。
【０００３】
容量センサ、伝導性オーバーレイシートを用いた抵抗センサ、赤外線センサ、音波センサと、圧電力センサを含む多種の技術をこれらの装置に用いることができる。例えば、ペンなどのハードワイヤードの手持ち式位置ポインタを用いた、デジタイザのようなこれらの装置の一つは、一般的に、電磁、静電、抵抗、または超音波センサを用いる。
【０００４】
人の接触に反応するこれらの入力装置は、一般的に、例えば、ディスプレイのアイコンとメニューアイテムの選択などのカーソル移動制御に用いられる。位置ポインタ（通常、ハードワイヤードのペン）に反応するその他の入力装置は、図面、設計図、または原版を作成、または描くのに用いられる。これらの装置は、文字、または手書き文字認識にも用いられる。よって、センサがいくつかの目に見える手段によって位置ポインタの経路を再現し、ビジュアルフィードバックを提供することが望ましい。
【０００５】
いくつかのこれらの入力装置は、ユーザーと位置ポインタ接触の両方に反応するため、例えば、画面に書き込む時に、位置ポインタベースの入力の便利性と、位置ポインタが必要でないタッチ入力の簡便性も提供する。
【０００６】
図１は、デジタイザを有する従来のディスプレイ装置の構造図である。図に示すように、ディスプレイ装置２００は、最外層ガラスカバー２１０、液晶ディスプレイ（ＬＣＤ）パネル２２０、バックライトモジュール２３０、反射板２４０、デジタイザセンサボード２５０、遮蔽膜２６０、バックフレーム２７０と位置ポインタ２８０を含む。最外層ガラスカバー２１０、ＬＣＤパネル２２０、バックライトモジュール２３０、反射板２４０、デジタイザセンサボード２５０、遮蔽膜２６０と、バックフレーム２７０は、積層構造に組み立てられる。ＬＣＤパネル２２０とデジタイザセンサボード２５０は、例えば、二つのフレキシブルプリント回路板（ＦＰＣ）など、異なるインターフェースを介して外部ホストシステムに接続される。図２は、デジタイザを有する従来のディスプレイシステムのブロック図である。図に示すように、ディスプレイシステム１００は、ＬＣＤモジュール２２０とデジタイザモジュール２５０を含む。ＬＣＤモジュール２２０とデジタイザモジュール２５０は、対応するインターフェース１１２と１２２を介してホストシステム１３０にそれぞれ接続される。デジタイザモジュール２５０は、マイクロコントローラ１２６に設置された発振器１２４を必要とし、選択回路１２８にスキャンタイミング信号を発生することで、デジタイザのセンサアレイ１２９のスキャン動作を行う。従来のディスプレイシステムの反射板、デジタイザセンサボード、遮蔽膜と、バックフレームが個別の構成部品であることから、ＬＣＤパネルとデジタイザセンサボードは、外部ホストシステムに接続された異なるインターフェースを必要とし、従来のディスプレイシステムは、比較的高いコスト、厚さと、重さとなる。
【発明の開示】
【発明が解決しようとする課題】
【０００７】
本発明は、ＬＣＤモジュールにデジタイザセンサボードを統合し、厚さと重さを低減するディスプレイ装置を提供する。
【課題を解決するための手段】
【０００８】
本発明の一つの態様では、ＬＣＤモジュールは、画像を表示し、デジタイザセンサボードは、ＬＣＤモジュールの基板の表面に統合され、表面上の位置ポインタ、または指接触の位置を感知する。
【０００９】
もう一つの態様では、本発明は、前述のディスプレイ装置が画像を表示し、表面上の位置ポインタ、または指接触の位置を感知し、その上に積層された遮蔽膜を有し、外部雑音を排除するディスプレイシステムの実施例を挙げる。
【００１０】
もう一つの態様では、本発明は、前述のディスプレイ装置が画像を表示し、表面上の位置ポインタ、または指接触の位置を感知し、ＤＣ／ＤＣコンバータは、ディスプレイシステムに動作可能に接続され、ディスプレイシステムに電力を供給し、画像を表示し、表面上の位置ポインタ、または指接触の位置を感知する電子装置の実施例を挙げる。
【００１１】
もう一つの態様では、本発明は、デジタイザセンサボードがガラス基板上に形成され、ディスプレイ装置の上基板となるディスプレイ装置の製造方法の実施例を挙げる。ＴＦＴアレイ基板は、ディスプレイ装置の下基板上に形成される。ディスプレイ装置の上基板と下基板は、組み立てられる。
【００１２】
もう一つの態様では、本発明は、デジタイザセンサボードがガラス基板上に形成されるディスプレイ装置のもう一つの製造方法の実施例を挙げる。ＴＦＴアレイ基板は、デジタイザセンサボード上に形成され、ガラス基板上のＴＦＴアレイとデジタイザセンサボードは、ＬＣＤモジュールの下基板となる。
【発明の効果】
【００１３】
本発明のディスプレイ装置とその製造方法では、ディスプレイシステムがディスプレイモジュールとデジタイザセンサボードに統合したディスプレイパネルのみを必要とすることから、厚さと重さは、個別の構成部材を有する従来の表示システムより低減する。
【発明を実施するための最良の形態】
【００１４】
本発明についての目的、特徴、長所が一層明確に理解されるよう、以下に実施形態を例示し、図面を参照にしながら、詳細に説明する。
【実施例】
【００１５】
図３Ａは、ディスプレイ装置の第一実施例を表している。図に示すように、ディスプレイ装置４００Ａは、最外層ガラスカバー４１０、ディスプレイパネル４２０、バックライトモジュール４３０、反射板４４０、遮蔽膜４６０と、バックフレーム４７０を含む。最外層ガラスカバー４１０、バックライトモジュール４３０、反射板４４０、遮蔽膜４６０と、バックフレーム４７０は、ディスプレイ装置４００Ａのディスプレイパネル４２０に積層される。この実施例では、ＬＣＤモジュール４２８は、ＬＣＤに積層されない。ディスプレイパネル４２０は、ＬＣＤモジュール４２８のガラス基板４５２の表面に統合されたＬＣＤモジュール４２８とデジタイザセンサ膜４５３を含む。
【００１６】
ＬＣＤモジュール４２８は、上基板４２２、下基板４２４と液晶層４５５を含み、上基板４２２は、カラーフィルター層４５４、デジタイザセンサボード４２６と、偏光板４５０を含み、下基板４２４は、ＴＦＴアレイ４５６、ガラス基板４５７と、偏光板４５８を含む。一般的に、カラーフィルター層４５４は、ブラックマトリクス（ＢＭ）と、その中に形成された複数のカラーコーティングフィルム（ＣＣＦ）を含む。ブラックマトリクスＢＭは、ＬＣＤモジュール４２８の非透光領域になる。ＬＣＤモジュール４２８は、有機発光素子ディスプレイ（ＯＬＥＤ）モジュール、または電界放出ディスプレイ（ＦＥＤ）モジュールであることもできるが、これは、本発明を限定するものではない。いくつかのディスプレイシステムでは、バックライトモジュール４３０、反射板４４０、またはカラーフィルター層４５４は、省略することができる。
【００１７】
デジタイザセンサボード４２６は、ガラス基板４５２と、その上に形成されたデジタイザセンサ膜４５３を含み、デジタイザセンサボード４２６は、ＬＣＤモジュール４２８のカラーフィルター層４５４に統合される。デジタイザセンサボード４２６は、容量センサデジタイザボード、抵抗センサデジタイザボード、赤外線センサデジタイザボード、音波センサデジタイザボード、圧電力センサデジタイザボード、静電センサデジタイザボード、または超音波センサデジタイザボードであることもできる。
【００１８】
例えば、デジタイザセンサ膜４５３は、ガラス基板４５２上に形成されたセンサアレイ、金属コイル、金属グリッド（ｍｅｔａｌ  ｇｒｉｄｓ）、またはガラス基板４５２上に形成された導線を含むことができ、センサアレイ、金属コイル、金属グリッド、または導線が非透光領域に形成されることでディスプレイパネルの開口率が減少するのを防ぐ。いくつかの実施例では、センサアレイ、金属コイル、金属グリッド、または導線は、スクリーンプリント、インクジェットプリント、または堆積法によってガラス基板の底面上にプリントされることができる。例えば、銀または銅を基に形成の伝導性金属ペースト、またはインクをスクリーンプリント、またはインクジェットプリントに用いることができる。
【００１９】
図３Ｂは、ディスプレイ装置の第二実施例を表している。ディスプレイ装置４００Ｂは、最外層ガラスカバー４１０、ディスプレイパネル４２０、バックライトモジュール４３０、反射板４４０、遮蔽膜４６０と、バックフレーム４７０を含む。図に示すように、第一実施例と異なり、デジタイザセンサボード４２６は、ＬＣＤモジュール４２８の下基板上に統合される。
【００２０】
ＬＣＤモジュール４２８は、カラーフィルター層４５４とガラス基板４４２を有する上基板４２２、下基板４２４と、上基板と下基板の間に形成された液晶層４５５を含む。下基板４２４は、ＴＦＴアレイ４５６、二酸化ケイ素層４５７と、偏光板４５８を含む。ＬＣＤモジュール４２８は、有機発光素子ディスプレイ（ＯＬＥＤ）モジュール、または電界放出ディスプレイ（ＦＥＤ）モジュールであることもできるが、これは、本発明を限定するものではない。いくつかのディスプレイシステムでは、バックライトモジュール４３０、反射板４４０、またはカラーフィルター層４５４は、省略することができる。
【００２１】
デジタイザセンサボード４２６は、ガラス基板４５２と、その上に形成されたデジタイザセンサ膜４５３を含む。デジタイザセンサボード４２６は、ＬＣＤモジュール４２８の下基板に統合される。
【００２２】
本発明は、ディスプレイパネル４２０の製造方法も挙げる。この方法では、デジタイザセンサ膜は、ガラス基板上に形成され、ディスプレイパネルの上基板となる。例えば、図３Ａに示すように、デジタイザセンサ膜４５３は、ガラス基板４５２上に形成され、次に、カラーフィルター４５４がデジタイザセンサ膜４５３上に形成されることができる。偏光板４５８は、ガラス基板４５２上に形成され、誘電体層は、必要に応じて、カラーフィルター４５４とデジタイザセンサ膜４５３の間に形成される。デジタイザセンサボード４２６は、デジタイザセンサ膜４５３とガラス基板４５２を含む。すなわち、デジタイザセンサボード４２６は、ＬＣＤモジュール４２８の上基板に統合される。
【００２３】
ＴＦＴアレイ基板が形成され、ディスプレイパネルの下基板となる。例えば、ＴＦＴアレイ４５６は、ガラス基板４５７上に形成され、ディスプレイパネル４２８の下基板４２４となる。偏光板４５８は、必要に応じて、ガラス基板４５７上に形成される。
【００２４】
ＬＣＤモジュール４２８の上基板と下基板は、ディスプレイパネル４２０の中に組み立てられる。ＬＣＤモジュール４２８は、有機発光素子ディスプレイ（ＯＬＥＤ）モジュール、または電界放出ディスプレイ（ＦＥＤ）モジュールであることもできるが、これは、本発明を限定するものではない。
【００２５】
液晶材料は、上基板と下基板の間に注入され、上基板と下基板が組み立てられた後、液晶層４５５を形成する。
【００２６】
本発明は、ディスプレイパネルのもう一つの製造方法も挙げる。この方法では、デジタイザセンサ膜は、ガラス基板上に形成され、ＴＦＴアレイ４５６は、デジタイザセンサ膜上に形成される。例えば、図３Ｂに示すように、デジタイザセンサ膜４５３は、ガラス基板４５２上に形成されることができ、ガラス基板（ｅ.ｇ．二酸化ケイ素層）４５７は、デジタイザセンサ膜４５３上に形成されることができ、ＴＦＴアレイ４５６は、ガラス基板（ｅ.ｇ．二酸化ケイ素層）４５７上に形成されることができ、偏光板４５８は、必要に応じて、ガラス基板４５２上に形成される。デジタイザセンサボード４２６、酸化ケイ素層４５７と、ＴＦＴアレイ４５６は、ＬＣＤモジュール４２８の下基板となる。すなわち、デジタイザセンサボード４２６は、ディスプレイパネル４２０の下基板に統合される。
【００２７】
ＬＣＤモジュール４２８の上基板が形成される。例えば、図３Ｂに示すように、カラーフィルター４５４は、偏光板４５１と積層され、ディスプレイパネルの上基板となることができる。
【００２８】
ＬＣＤモジュール４２８の上基板と下基板は、ディスプレイパネル４２０の中に組み立てられる。ＬＣＤモジュール４２８は、ＬＣＤモジュール、有機発光素子ディスプレイ（ＯＬＥＤ）モジュール、または電界放出ディスプレイ（ＦＥＤ）モジュールであることもできるが、これは、本発明を限定するものではない。
【００２９】
図３Ｂに示すＬＣＤモジュール４２８がＬＣＤモジュールであることから、液晶材料は、上基板と下基板の間に注入され、上基板と下基板が組み立てられた後、液晶層４５５を形成する。
【００３０】
図４は、ディスプレイ装置の実施例を表している。図に示すように、ディスプレイシステム４００Ｃは、最外層ガラスカバー４１０、ディスプレイパネル４２０、バックライトモジュール４３０、反射板４４０、遮蔽板４６０と、バックフレーム４６０を含む。ディスプレイパネル４２０は、単一のインターフェース３１０（例えば、フレキシブルプリント回路基板）を介して外部ホストシステムに接続される。ディスプレイパネル４２０は、ディスプレイモジュールに統合されたディスプレイモジュールとデジタイザセンサボードを含む。制御ユニット４８２は、フレキシブルプリント回路基板上に設置され、ディスプレイモジュールを駆動し、インターフェースを介してホストシステムからの画像信号に基づいて、スキャンタイミング信号ＳＳをデジタイザセンサボードに発生する。ディスプレイパネル４２０は、スキャンタイミング信号に応じてスキャン動作を行い、位置データを発生し、制御ユニット４８２は、位置データに基づいて位置ポインタ４８０の対応する座標データを判別し、ホストシステムに出力する。制御ユニット４８２はまた、例えば、チップオンガラス（ＳＯＧ）プロセスによって直接、ディスプレイパネル４２０上に設置することもできる。
【００３１】
本発明の実施例では、ＬＣＤモジュール４２８は、有機発光素子ディスプレイ（ＯＬＥＤ）モジュール、または電界放出ディスプレイ（ＦＥＤ）モジュールであることもできるが、これは、本発明を限定するものではない。
【００３２】
ディスプレイパネル４２０のデジタイザセンサボード４２６は、容量センサデジタイザボード、抵抗センサデジタイザボード、赤外線センサデジタイザボード、音波センサデジタイザボード、または圧電力センサデジタイザボード、静電センサデジタイザボード、または超音波センサデジタイザボードであることもできる。
【００３３】
本発明の実施例のディスプレイシステムがディスプレイモジュールとデジタイザセンサボードに統合したディスプレイパネルのみを必要とすることから、厚さと重さは、個別の構成部材を有する従来の表示システムより低減する。
【００３４】
図５は、ディスプレイシステムの実施例のブロック図である。表示システム４００Ｄは、インターフェース３１０、制御ユニット４８２、上述のデジタイザモジュール４２６と、上述のＬＣＤモジュール４２８を含む。
【００３５】
インターフェース３１０は、ホストシステム６００と制御ユニット４８２の間に接続され、ホストシステム６００とデータ変換をする。
【００３６】
制御ユニット４８２は、インターフェース３１０、ＬＣＤモジュール４２８と、デジタイザモジュール４２６に接続される。制御ユニット４８２は、ＬＣＤモジュール４２８を駆動し、インターフェース３１０を介してホストシステム６００からの画像信号（ＩＳ）に基づいて、スキャンタイミング信号（ＳＳ）をデジタイザモジュール４２６に発生する。制御ユニット４８２は、タイミングコントローラ３２２、アナログデジタルコンバータ（ＡＤＣ）３２４、電圧調整回路３２６と、デジタルアナログコンバータ（ＤＡＣ）３２８を含む。制御ユニット４８２もまた、インターフェース３１０を介してホストシステム６００からのバス制御信号（ＢＣＳ）を受け、ＡＤＣ３２４、ＤＡＣ３２８と、選択回路３４６を制御する。
【００３７】
タイミングコントローラ３２２は、インターフェース３１０、ＬＣＤモジュール４２８と、デジタイザモジュール４２６に接続され、ホストシステム６００からの画像信号（ＩＳ）に基づいて、ＤＡＣ３２８によって駆動信号を発生する。一般的に、ホストシステムからの画像信号（ＩＳ）は、画像データ（ＩＤ）、クロック信号ＣＬＫＳと、共通電極Ｖｃｏｍを含み、クロック信号ＣＬＫＳは、垂直スキャン信号Ｖｓ、水平スキャン信号Ｈｓ、データイネーブル信号ＤＥと、システムクロックＣＬＫを含む。タイミングコントローラ３２２は、画像信号のクロック信号ＣＬＫＳに基づいて、垂直クロック出力ＣＫＶ、水平クロック出力ＣＫＨ、水平イネーブル出力ＥＮＢＨ、垂直イネーブル出力ＥＮＢＶ、水平スキャン指示ＣＳＨと、垂直スキャン指示ＣＳＶを含む基準タイミング信号をＬＣＤモジュール４２８に提供する。基準タイミング信号ＲＴＳと画像データＩＤは、駆動信号として働き、ＤＡＣ３２８に出力されてアナログ信号に変換し、ＬＣＤモジュール４２８を駆動する。電圧調整回路３２６は、タイミングコントローラ３２２とＬＣＤモジュール４２８に接続され、共通電圧Ｖｃｏｍに基づいて、ＬＣＤモジュール４２８を駆動するアナログ信号の電圧値を調整する。
【００３８】
また、タイミングコントローラ３２２は、ホストシステム６００からの画像信号（ＩＳ）に基づいて、スキャンタイミング信号ＳＳをデジタイザモジュール４２６に発生する。デジタイザモジュール４２６に必要なスキャンタイミング信号（ＳＳ）の周波数が約１００ＫＨｓ〜３００ＫＨｓの間で、ホストシステムからの画像信号ＩＳにあるクロック信号ＣＬＫＳの周波数が一般的に５ＭＨｚ〜６ＭＨｚの間であることから、本実施例は、ホストシステムからの画像信号にあるクロック信号ＣＬＫＳを低い周波数に変換し、従来のデジタイザモジュールボードのような発振器を用いることなく、適当な周波数のスキャンタイミング信号ＳＳを得る。よって、この実施例では、デジタイザモジュール４２６とＬＣＤモジュール４２８は、単一のインターフェースを介して、ホストシステム６００に接続される。この実施例では、タイミングコントローラ３２２は、分周器３２９を含み、画像信号ＩＳのクロック信号ＣＬＫＳをデジタイザモジュール４２６に適当な周波数でスキャンタイミング信号ＳＳに変換する。
【００３９】
ＬＣＤモジュール４２８は、制御ユニット４８２に接続され、ＤＡＣ３２８からのアナログ信号に基づいて画像を表示する。ＬＣＤモジュール４２８は、有機発光素子ディスプレイ（ＯＬＥＤ）モジュール、または電界放出ディスプレイ（ＦＥＤ）モジュールであることもできる。
【００４０】
デジタイザモジュール４２６は、一般的にカーソル移動制御に用いられ、例えば、ディスプレイのアイコンとメニューアイテムの選択、図面や設計図を作成、または描く、または文字や手書き文字認識に用いられる。この実施例では、デジタイザモジュール４２６は、インターフェース３１０を介してホストシステム６００に接続され、スキャン動作を行い、スキャンタイミング信号ＳＳに応じて位置データＰＤを発生する。デジタイザモジュール４２６は、デジタイザセンサアレイ３４２、選択回路３４６と、増幅器３４８を含む。いくつかの例では、デジタイザセンサアレイ３４２、選択回路３４６と、増幅器３４８は、図３に示されたフレキシブルデジタイザセンサボード４４２の上に形成される。また、選択回路３４６と増幅器３４８は、制御ユニット４８２（未表示）に統合されることができる。例えば、デジタイザモジュール４２６は、電磁センサデジタイザモジュールボードであることができ、電磁信号は、位置ポインタ４８０から伝送され、センサアレイ３４２によって感知される。
【００４１】
例えば、デジタイザセンサアレイ３４２は、ＸとＹ方向の両方の金属コイルグリッドを含み、位置ポインタの位置を感知する。位置ポインタは、デジタイザセンサアレイ３４２に信号を伝送し、選択回路３４６は、制御ユニット４８２からのスキャンタイミング信号ＳＳに基づいて、センサアレイ３４２のコイルをスキャンし、デジタイザセンサアレイ３４２で発生された信号が増幅器３４８に送られ、増幅器３４８は、デジタイザセンサアレイ３４２で発生された信号を増幅する。
【００４２】
増幅器３４８からの増幅された信号は、ＡＤＣ３２４に出力され、位置データＰＤに変換され、タイミングコントローラ３２２に出力される。タイミングコントローラ３２２は、位置ポインタ３４４に関する位置データＰＤを受け、それに応じてデジタイザセンサアレイ３４２の対応する座標データＣＤを判別する。デジタイザセンサアレイ３４２の対応する座標データＣＤは、続いてインターフェース３１０を介してホストシステム６００に出力される。例えば、制御ユニット４８２は、タイミングコントローラ３２２、ＡＤＣ３２４、電圧調整回路３２６と、ＤＡＣ３２８で統合されたシングルチップであることができる。制御ユニット４８２は、ディスプレイパネル４２０上にチップオンガラス（ＳＯＧ）プロセスによって直接、ディスプレイモジュール４２８に設置されることもでき、またはディスプレイモジュール４２８のフレキシブルプリント回路板（ＦＰＣ）に設置されることもできる。
【００４３】
図６は、タイミングコントローラの実施例を表している。タイミングコントローラ３２２は、処理装置３３１、分周器３２９、タイミング発生器３３２、データラッチ３３３、レジスタ３３４と、受信解読装置３３５を含み、インターフェース３１０を介してホストシステム６００からの画像信号ＩＳとバス制御信号ＢＣＳを受ける。
【００４４】
処理装置３３１は、ＡＤＣ３２４に接続され、位置データＰＤを受け、インターフェース３１０を介してホストシステム６００に出力する対応した座標データＣＤを算出する。ホストシステム６００は、座標データＣＤを受け、画像信号に変換し、ディスプレイモジュールに表示する。分周器３２９は、多機能デジタイザモジュールボード４４０用に、画像信号のクロック信号ＣＬＫＳを適当な周波数を有するスキャンタイミング信号ＳＳ（１００ＫＨｓ〜３００ＫＨｓ）に変換する。
【００４５】
タイミング発生器３３２もまた、クロック信号ＣＬＫＳを受け、基準タイミング信号ＲＴＳをディスプレイモジュール４２８に提供する。ホストシステム６００からの画像信号の画像データＩＤは、データラッチ３３３とレジスタ３３４によって一時的に保存され、ＤＡＣ３２８に出力され、ディスプレイモジュール４２８を駆動する。受信解読装置３３５は、ホストシステム６００からのバス制御信号を受け、制御データを発生し、ＤＡＣ３２８、ＡＤＣ３２４と、選択回路３４６を制御する。
【００４６】
よって、本発明は、単一インターフェースを用いて、図２に示されたデジタイザセンサボードのマイクロコントローラ１２６とＡＤＣ１２５、ＬＣＤモジュールのタイミングコントローラ１２７、電圧調整回路１３２と、ＤＡＣ１３１を単一の制御ユニット４８２の中に統合することができ、ディスプレイシステムのコスト、厚さと重さが低減される。
【００４７】
図７は、上述のディスプレイシステムを用いた電子装置５００を表している。ディスプレイシステム４００Ａ／４００Ｂ／４００Ｃ／４００Ｄは、液晶ディスプレイシステム、有機発光素子ディスプレイ（ＯＬＥＤ）システム、または電界放出ディスプレイ（ＦＥＤ）システムであることができるが、これは、本発明を限定するものではない。電子装置５００は、例えば、ＰＤＡ、ノート型パソコン、タブレットコンピュータ、携帯電話、またはディスプレイモニタ装置などであることができる。一般的に、電子装置５００は、ハウジング５１０、図４に示されたディスプレイシステム４００Ａ／４００Ｂ／４００Ｃ／４００Ｄ、ＤＣ／ＤＣコンバータ５２０などを含む。また、ＤＣ／ＤＣコンバータ５２０は、ディスプレイシステム４００Ａ／４００Ｂ／４００Ｃ／４００Ｄに選択的に接続され、ディスプレイシステム４００Ａ／４００Ｂ／４００Ｃ／４００Ｄに電力を供給する出力電圧を提供する。
【００４８】
以上、本発明の好適な実施例を例示したが、これは本発明を限定するものではなく、本発明の精神及び範囲を逸脱しない限りにおいては、当業者であれば行い得る少々の変更や修飾を付加することは可能である。従って、本発明が保護を請求する範囲は、特許請求の範囲を基準とする。
【図面の簡単な説明】
【００４９】
【図１】デジタイザセンサボードを有する従来のディスプレイ装置の構造図である。
【図２】デジタイザを有する従来のディスプレイシステムのブロック図である。
【図３Ａ】ディスプレイ装置の第一実施例を表している。
【図３Ｂ】ディスプレイ装置の第二実施例を表している。
【図４】本発明に基づいたディスプレイ装置のブロック図である。
【図５】ディスプレイシステムの実施例のブロック図である。
【図６】タイミングコントローラの実施例を表している。
【図７】本発明の実施例に基づいたディスプレイシステムを組み合わせた電子装置を概略的に表している。
【符号の説明】
【００５０】
１００  ディスプレイシステム
１１２  インターフェース
１１３  インターフェース
１２２  インターフェース
１２４  発振器
１２５  アナログデジタルコンバータ
１２６  マイクロコントローラ
１２７  タイミングコントローラ
１２８  選択回路
１２９  センサアレイ
１３０  ホストシステム
１３１  デジタルアナログコンバータ
１３２  電圧調整回路
１３３  ＬＣＤパネル
２００  ディスプレイ装置
２１０  最外層ガラスカバー
２２０  ＬＣＤパネル
２３０  バックライトモジュール
２４０  反射板
２５０  デジタイザモジュール
２６０  遮蔽膜
２７０  バックフレーム
３１０  インターフェース
３２２  タイミングコントローラ
３２４  アナログデジタルコンバータ
３２６  電圧調整回路
３２８  選択回路
３２９  分周器
３３１  処理装置
３３２  タイミング発生器
３３３  データラッチ
３３４  レジスタ
３３５  受信解読装置
３４２  デジタイザセンサアレイ
３４６  選択回路
３４８  増幅器
４００Ａ  ディスプレイ装置
４００Ｂ  ディスプレイ装置
４００Ｃ  ディスプレイシステム
４００Ｄ  ディスプレイシステム
４１０  最外層ガラスカバー
４２０  ＬＣＤパネル
４２２  上基板
４２４  下基板
４２６  デジタイザセンサボード
４２７  デジタイザモジュール
４２８  ＬＣＤモジュール
４３０  バックライトモジュール
４４０  反射板
４５０  偏光板
４５２  ガラス基板
４５３  デジタイザセンサ膜
４５４  カラーフィルター層
４５５  液晶層
４５７  ガラス基板
４５８  偏光板
４５６  ＴＦＴアレイ
４６０  遮蔽膜
４７０  バックフレーム
４８０  位置ポインタ
４８２  制御ユニット
５００  電子装置
５１０  ハウジング
５２０  ＤＣ／ＤＣコンバータ
ＢＭ  ブラックマトリクス
ＣＣＦ  カラーコーティングフィルム
ＳＳ  スキャンタイミング信号
ＩＳ  画像信号
ＦＰＣ  フレキシブルプリント回路板
ＢＣＳ  バス制御信号
ＰＤ  位置データ
ＩＤ  画像データ
ＣＤ  座標データ
ＣＬＫＳ  クロック信号
Ｖｃｏｍ  共通電極
Ｖｓ  垂直スキャン信号
Ｈｓ  水平スキャン信号
ＤＥ  データイネーブル信号
ＣＬＫ  システムクロック
ＲＴＳ  基準タイミング信号
ＣＫＶ  垂直クロック出力
ＣＫＨ  水平クロック出力
ＥＮＢＶ  垂直イネーブル出力
ＥＮＢＨ  水平イネーブル出力
ＣＳＨ  水平スキャン指示
ＣＳＶ  垂直スキャン指示
【図１】
2006189859.tif 000003
【図２】
2006189859.tif 000004
【図３Ａ】
2006189859.tif 000005
【図３Ｂ】
2006189859.tif 000006
【図４】
2006189859.tif 000007
【図５】
2006189859.tif 000008
【図６】
2006189859.tif 000009
【図７】
2006189859.tif 000010
【外国語明細書】
2006189859000001.pdf
2006189859000002.pdf
2006189859000003.pdf
2006189859000004.pdf